(57)【要約】【課題】第１と第２のアンテナエレメント２０、２２が相互干渉を生じず、しかも小型に形成し得る複数周波数帯用アンテナを提供する。【解決手段】低い周波数帯用の第１のアンテナエレメント２０の基端と、高い周波数帯用の第２のアンテナエレメント２２の基端を、同じ給電点１２に電気的接続し、第１のアンテナエレメント２０を高い周波数帯の１／２波長の電気長に設定するとともにその先端を接地短絡せずに解放し、第２のアンテナエレメント２２を低い周波数帯の１／４波長の電気長に設定するとともにその先端を接地短絡する。低い周波数帯に対して、第２のアンテナエレメント２２のインピーダンスは無限大であり、高い周波数帯に対して、第１のアンテナエレメント２０のインピーダンスは無限大である。第１と第２のアンテナエレメント２０、２２は、相互干渉を生じず、相互に独立してアンテナ動作が行われる。【選択図】  図１
2007288649.tif 000002
【特許請求の範囲】
【請求項１】
低い周波数帯用の第１のアンテナエレメントの基端と、高い周波数帯用の第２のアンテナエレメントの基端を、同じ給電点に電気的接続し、前記第１のアンテナエレメントを前記高い周波数帯の１／２波長の電気長に設定するとともにその先端を接地短絡させることなしに解放し、前記第２のアンテナエレメントを前記低い周波数帯の１／４波長の電気長に設定するとともにその先端を接地短絡して構成したことを特徴とする複数周波数帯用アンテナ。
【請求項２】
低い周波数帯用の第１のアンテナエレメントの基端と、前記低い周波数帯の略２倍の周波数の高い周波数帯用の第２のアンテナエレメントの基端を、同じ給電点に電気的接続し、前記第１のアンテナエレメントを前記高い周波数帯の１／２波長の電気長に設定するとともにその先端を接地短絡させることなしに解放し、前記第２のアンテナエレメントを前記低い周波数帯の１／４波長の電気長に設定するとともにその先端を接地短絡して構成したことを特徴とする複数周波数帯用アンテナ。
【請求項３】
請求項１また２記載の複数周波数帯用アンテナにおいて、前記第１のアンテナエレメントと前記第２のアンテナエレメントで、その基端から前記高い周波数帯の略１／８波長の電気長以内を、共通の導電路を用いて構成したことを特徴とする複数周波数帯用アンテナ。
【請求項４】
請求項１または２記載の複数周波数帯用アンテナにおいて、前記第１のアンテナエレメントを接地導体に対して垂直な部分とそれに連なる平行な部分からなる逆Ｌ字状に形成し、前記第２のアンテナエレメントを前記接地導体に対し垂直な部分とそれに連なる平行な部分とさらに連なる垂直な部分とからなるコ字状に形成し、前記第１のアンテナエレメントの逆Ｌ字状で前記第２のアンテナエレメントのコ字状の２方向を覆うように、前記第１と第２のアンテナエレメントを配設して構成したことを特徴とする複数周波数帯用アンテナ。
【請求項５】
請求項１ないし４記載のいずれかの複数周波数帯用アンテナにおいて、アンテナエレメントの前記基端と前記給電点の間に、整合回路を介装して構成したことを特徴とする複数周波数帯用アンテナ。
【請求項６】
請求項１ないし５記載のいずれかの複数周波数帯用アンテナにおいて、前記第１のアンテナエレメントで、携帯電話用のＰＤＣ８００ＭＨｚ帯またはＧＳＭ帯またはＡＭＰＳ帯のいずれかの周波数帯の信号を送受信し、前記第２のアンテナエレメントで、ＰＤＣ１．５ＧＨｚ帯またはＤＣＳ帯またはＰＣＳ帯のいずれかの周波数帯の信号を送受信するように構成したことを特徴とする複数周波数帯用アンテナ。
【発明の詳細な説明】
【技術分野】
【０００１】
本発明は、２本のアンテナエレメントを用いて、小型でしかも相互干渉がなく、複数の周波数帯で使用でき、携帯電話および情報通信等の複数の信号を送受信するのに好適な複数周波数帯用アンテナに関するものである。
【背景技術】
【０００２】
近年、移動体通信が急速に進展し、そのなかでも携帯電話は著しく普及し、しかも小型・軽量化が図られている。そして、携帯電話にあっては、日本ではＰＤＣ８００ＭＨｚ帯とＰＤＣ１．５ＧＨｚ帯が利用され、欧州ではＧＳＭ帯とＤＣＳ帯が利用され、北米ではＡＭＰＳ帯とＰＣＳ帯が利用され、それぞれの地域でデュアルバンドが主流となっている。そこで、これらの携帯電話にあっては、それぞれの周波数帯を送受信できるアンテナが設けられている。
【０００３】
従来の携帯電話用の複数周波数用アンテナの一例を図１８を参照して説明する。図１８は、従来の複数周波数用アンテナの一例の構成図である。図１８において、低い周波数帯用の第１のアンテナエレメント１０は、基端ａが給電点１２に電気的接続され、接地導体１４に対して垂直な部分ａｂとこれに連なるミアンダ状に折り曲げられた部分ｂｃとさらにこれに連なる垂直な部分ｃｄとからなり、先端ｄは接地導体１４に接地短絡されている。ミアンダ状の部分ｂｃを伸ばせば、接地導体１４に平行であって、接地導体１４側を開口するコ字状に形成されている。そして、この第１のアンテナエレメント１０の電気長ａｂｃｄは、低い周波数帯の１／２波長に設定される。また、高い周波数帯用の第２のアンテナエレメント１６は、垂直な部分ａｂを共通の導電路とし、さらに垂直な部分ｂｅを伸ばして設け、これに連なり接地導体１４に平行な部分ｅｆからなっており、逆Ｌ字状に形成され、その先端ｆは接地導体１４に電気的に接続されずに解放されている。この第２のアンテナエレメント１６の電気長ａｂｅｆは、高い周波数帯の１／４波長に設定される。そして、この第２のアンテナエレメント１６の逆Ｌ字状で、第１のアンテナエレメント１０の一部を覆うように、第１と第２のアンテナエレメント１０、１６が配設される。
【０００４】
また、従来の携帯電話用の複数周波数用アンテナの別の例を図１９を参照して説明する。図１９は、従来の複数周波数用アンテナの別の例の構成図である。図１９において、低い周波数帯用の第１のアンテナエレメント１０の構成は、図１８に示すものと同じである。そして、この第１のアンテナエレメント１０の垂直な部分ａｂとｃｄの途中の箇所ｇ、ｈを導電路で結んで、電気長ａｇｈｄにより高い周波数帯用の第２のアンテナエレメント１８が構成される。この第２のアンテナエレメント１８の電気長ａｇｈｄは、高い周波数帯の１／２波長に設定される。
【発明の開示】
【発明が解決しようとする課題】
【０００５】
図１８および図１９に示す従来の構成例にあっては、低い周波数帯用の第１のアンテナエレメント１０の電気長ａｂｃｄが、低い周波数帯の１／２波長に設定されているのでその長さは比較的に長く、ミアンダ状に形成しても広い設置スペースが必要である。また、低い周波数帯の高調波が、高い周波数帯に含まれる場合には、第１のアンテナエレメント１０と第２のアンテナエレメント１６、１８が相互干渉を生じて、高い周波数帯でアンテナ利得の劣化が著しいという不具合が生ずる。例えば、日本における携帯電話で使用される周波数帯にあっては、低い周波数帯のＰＤＣ８００ＭＨｚ帯の２次高調波が、高い周波数帯のＰＤＣ１．５ＧＨｚ帯と一部が重複し、アンテナ特性の劣化を生ずる。
【０００６】
本発明は、上述のごとき従来技術の事情に鑑みてなされたもので、２つのアンテナエレメントが相互干渉を生ずることがなく、しかも小型の複数周波数帯用アンテナを提供することを目的とする。
【課題を解決するための手段】
【０００７】
かかる目的を達成するために、本発明の複数周波数帯用アンテナは、低い周波数帯用の第１のアンテナエレメントの基端と、高い周波数帯用の第２のアンテナエレメントの基端を、同じ給電点に電気的接続し、前記第１のアンテナエレメントを前記高い周波数帯の１／２波長の電気長に設定するとともにその先端を接地短絡させることなしに解放し、前記第２のアンテナエレメントを前記低い周波数帯の１／４波長の電気長に設定するとともにその先端を接地短絡して構成されている。
【０００８】
また、低い周波数帯用の第１のアンテナエレメントの基端と、前記低い周波数帯の略２倍の周波数の高い周波数帯用の第２のアンテナエレメントの基端を、同じ給電点に電気的接続し、前記第１のアンテナエレメントを前記高い周波数帯の１／２波長の電気長に設定するとともにその先端を接地短絡させることなしに解放し、前記第２のアンテナエレメントを前記低い周波数帯の１／４波長の電気長に設定するとともにその先端を接地短絡して構成しても良い。
【０００９】
そして、前記第１のアンテナエレメントと前記第２のアンテナエレメントで、その基端から前記高い周波数帯の略１／８波長の電気長以内を、共通の導電路を用いて構成することもできる。
【００１０】
さらに、前記第１のアンテナエレメントを接地導体に対して垂直な部分とそれに連なる平行な部分からなる逆Ｌ字状に形成し、前記第２のアンテナエレメントを前記接地導体に対し垂直な部分とそれに連なる平行な部分とさらに連なる垂直な部分とからなるコ字状に形成し、前記第１のアンテナエレメントの逆Ｌ字状で前記第２のアンテナエレメントのコ字状の２方向を覆うように、前記第１と第２のアンテナエレメントを配設して構成することも可能である。
【００１１】
さらにまた、アンテナエレメントの前記基端と前記給電点の間に、整合回路を介装して構成しても良い。
【００１２】
そしてまた、前記第１のアンテナエレメントで、携帯電話用のＰＤＣ８００ＭＨｚ帯またはＧＳＭ帯またはＡＭＰＳ帯のいずれかの周波数帯の信号を送受信し、前記第２のアンテナエレメントで、ＰＤＣ１．５ＧＨｚ帯またはＤＣＳ帯またはＰＣＳ帯のいずれかの周波数帯の信号を送受信するように構成しても良い。
【発明の効果】
【００１３】
請求項１記載の複数周波数帯用アンテナにあっては、低い周波数帯に対して、第２のアンテナエレメントのインピーダンスは無限大であり、また高い周波数帯に対して、第１のアンテナエレメントのインピーダンスは無限大である。そこで、第１のアンテナエレメントで送受信される低い周波数帯に対して、第２のアンテナエレメントは何ら干渉せず、第２のアンテナエレメントで送受信される高い周波数帯に対して、第１のアンテナエレメントは何ら干渉しない。したがって、第１と第２のアンテナエレメントは、相互干渉を生ずることがなく、相互に独立してアンテナ動作を行うことができ、低い周波数帯と高い周波数帯でともに良好な利得を得ることができる。
【００１４】
請求項２記載の複数周波数帯用アンテナにあっては、低い周波数帯に対して、その略２倍の周波数が高い周波数帯であるので、高い周波数帯の１／２波長に設定された第１のアンテナエレメントは低い周波数帯に対して略１／４波長であり、先端が解放されているので低い周波数帯が共振できて高いアンテナ利得が得られる。また、低い周波数帯の１／４波長に設定された第２のアンテナエレメントは高い周波数帯に対して略１／２波長であり、先端が接地短絡されているので高い周波数帯が共振できて高いアンテナ利得が得られる。
【００１５】
請求項３記載の複数周波数帯用アンテナにあっては、第１と第２のアンテナエレメントで、給電点と電気的接続される基端から所定の電気長以内を、共通の導電路を用いているので、別々に設けるものよりも、設置スペースが小さくて足りる。
【００１６】
請求項４記載の複数周波数帯用アンテナにあっては、第１と第２のアンテナエレメントを、コ字状の第２のアンテナエレメントの一部を逆Ｌ字状の第１のアンテナエレメントで覆うように組み合わせているので、小さな設置スペースで２本のアンテナエレメントを配設することができる。
【００１７】
請求項５記載の複数周波数帯用アンテナにあっては、アンテナエレメントの基端と給電点の間に、整合回路を介装したので、第１のアンテナエレメントの電気長が低い周波数帯の信号が共振し得る長さから少しずれていても、また第２のアンテナエレメントの電気長が高い周波数帯の信号が共振し得る長さから少しずれていても、整合回路によりアンテナの入出力インピーダンスを適宜に調整することが可能である。
【発明を実施するための最良の形態】
【００１８】
本発明の第１実施例を図１ないし図５を参照して説明する。図１は、本発明の複数周波数帯用アンテナの第１実施例の基本的なアンテナの構成図である。図２は、図１のアンテナの構成に、入出力インピーダンスの整合を図るための整合回路を介装した構成図である。図３は、図２の整合回路の一例を示す回路図である。図４は、図２のアンテナの構成におけるＶＳＷＲ特性図である。図５は、図２のアンテナの構成における各周波数帯の受信効率を示した図である。
【００１９】
図１において、本発明の複数周波数帯用アンテナの第１実施例の基本的なアンテナの構成は、以下のごときものである。まず、低い周波数帯用の第１のアンテナエレメント２０は、その基端ａが給電点１２に電気的接続され、接地導体１４に対して垂直な部分ａｉと、これに連なり接地導体１４に平行な部分ｉｊにより逆Ｌ字状に形成され、その先端ｊは接地導体１４に電気的に接続されずに解放されている。しかも、この第１のアンテナエレメント２０の電気長ａｉｊは、高い周波数帯の１／２波長に設定される。また、高い周波数帯用の第２のアンテナエレメント２２は、その基端ａが給電点１２に電気的接続され、接地導体１４に対して垂直な部分ａｋと、これに連なり接地導体１４に平行な部分ｋｌとさらに連なる垂直な部分ｌｍとからなり、その先端ｍが接地導体１４に電気的に接続されて接地短絡され、接地導体１４側を開口するコ字状に形成される。そして、このコ字状の第２のアンテナエレメント２２の電気長ａｋｌｍは、低い周波数帯の１／４波長に設定される。なお、第１のアンテナエレメント２０の垂直な部分ａｉの長さは、第２のアンテナエレメント２２の垂直な部分ａｋの長さよりも長く設定されていて、コ字状の第２のアンテナエレメント２２の基端側の２方向が、逆Ｌ字状の第１のアンテナエレメント２０で覆われるように、第１のアンテナエレメント２０と第２のアンテナエレメント２２が組み合わされて配設される。
【００２０】
図１に示す構成において、高い周波数帯に対して、第１のアンテナエレメント２０のインピーダンスは無限大であり、また低い周波数帯に対して、第２のアンテナエレメント２２のインピーダンスは無限大である。そこで、前述の低い周波数帯と高い周波数帯のアンテナとして動作する場合には、第１のアンテナエレメント２０と第２のアンテナエレメント２２は相互干渉を生ずることがなく、互いに独立してアンテナ動作がなし得る。もって、従来のごとき相互干渉による利得の劣化を生じない。
【００２１】
図１に示すアンテナの構成において、第１と第２のアンテナエレメント２０、２２の入出力インピーダンスと給電点１２の入出力インピーダンスを整合させる必要がある場合には、図２に示すごとく、第１と第２のアンテナエレメント２０、２２の基端ａと給電点１２の間に整合回路２４を介装しても良い。この整合回路２４の一例は、図３に示されるごとく、適宜なＬＣ回路で形成される。かかるアンテナの構成で、低い周波数帯がＧＳＭ帯で高い周波数帯が低い周波数帯の略２倍の周波数であるＤＣＳ帯およびＰＣＳ帯となるように、第１と第２のアンテナエレメント２０、２２の電気長をそれぞれに設定して、ＶＳＷＲ特性を測定したところ、図４に示すごとく、ＧＳＭ帯の８８０〜９６０ＭＨｚの周波数範囲でＶＳＷＲが２以下の良好な特性が得られている。また、ＤＣＳ帯とＰＣＳ帯におよぶ１７１０〜１９９０ＭＨｚの周波数範囲でもほぼＶＳＷＲが４以下であり、ＧＳＭ帯とＤＣＳ帯および／またはＰＣＳ帯の複数周波数帯用アンテナとして十分に利用できるとの結果が得られた。また、図５に（１）で示す受信効率にあっても、平均効率はＧＳＭ帯で８８．９５％であり、ＤＣＳ帯で５７．２９％であり、ＰＣＳ帯で４８．７８％であり、いずれの周波数帯でも充分なアンテナ効率が得られている。
【００２２】
次に、本発明の第２実施例を図６ないし図１７を参照して説明する。図６は、本発明の複数周波数帯用アンテナの第２実施例の基本的なアンテナの構成図である。図７は、図６のアンテナの構成に、入出力インピーダンスの整合を図るための整合回路を介装した構成図である。図８は、図７の構成で、基端側の共通の導電路の電気長を高い周波数帯の１／３２波長とした場合の整合回路の一例を示す回路図である。図９は、図７の構成で、基端側の共通の導電路の電気長を高い周波数帯の１／３２波長として、図８の整合回路を設けたアンテナの構成におけるＶＳＷＲ特性図である。図１０は、図７の構成で、基端側の共通の導電路の電気長を高い周波数帯の１／１６波長とした場合の整合回路の一例を示す回路図である。図１１は、図７の構成で、基端側の共通の導電路の電気長を高い周波数帯の１／１６波長として、図１０の整合回路を設けたアンテナの構成におけるＶＳＷＲ特性図である。図１２は、図７の構成で、基端側の共通の導電路の電気長を高い周波数帯の３／３２波長とした場合の整合回路の一例を示す回路図である。図１３は、図７の構成で、基端側の共通の導電路の電気長を高い周波数帯の３／３２波長として、図１２の整合回路を設けたアンテナの構成におけるＶＳＷＲ特性図である。図１４は、図７の構成で、基端側の共通の導電路の電気長を高い周波数帯の１／８波長とした場合の整合回路の一例を示す回路図である。図１５は、図７の構成で、基端側の共通の導電路の電気長を高い周波数帯の１／８波長として、図１４の整合回路を設けたアンテナの構成におけるＶＳＷＲ特性図である。図１６は、図７の構成で、基端側の共通の導電路の電気長を高い周波数帯の５／３２波長とした場合の整合回路の一例を示す回路図である。図１７は、図７の構成で、基端側の共通の導電路の電気長を高い周波数帯の５／３２波長として、図１６の整合回路を設けたアンテナの構成におけるＶＳＷＲ特性図である。図６および図７において、図１および図２に示す部材と同じ若しくは均等な部材には、同じ符号を付けて重複する説明を省略する。
【００２３】
図６において、本発明の複数周波数帯用アンテナの第２実施例の基本的なアンテナの構成で、図１に示す第１実施例と相違するところは、高い周波数帯用の第２のアンテナエレメント２６の基端ａ側の垂直な部分ａｋが、低い周波数帯用の第１のアンテナエレメント２０の基端ａ側の垂直な部分ａｉの一部と共通の導電路を用いて形成されることにある。すなわち、低い周波数帯用の第１のアンテナエレメント２０は第１実施例と同じであり、高い周波数帯用の第２のアンテナエレメント２６が、低い周波数帯用の第１のアンテナエレメント２０の基端ａ側の垂直な部分ａｉの途中の箇所ｋまでの共通の導電路を用いた垂直な部分ａｋとこれに連なり接地導体１４に平行な部分ｋｌとさらに連なる垂直な部分ｌｍとから形成されている。
【００２４】
図６に示す構成において、基端ａ側の共通の導電路の電気長が短い範囲では、高い周波数帯に対して、第１のアンテナエレメント２０のインピーダンスは無限大であり、また低い周波数帯に対して、第２のアンテナエレメント２６のインピーダンスは無限大であり、第１と第２のアンテナエレメント２０、２６は相互干渉を生ずることがなく、互いに独立してアンテナ動作がなし得る。もって、従来のごとき相互干渉による利得の劣化を生じない。しかも、第１と第２のアンテナエレメント２０、２６が基端ａ側で共通の導電路を用いることで、小型化が容易である。
【００２５】
図６に示すアンテナの構成において、第１と第２のアンテナエレメント２０、２６の入出力インピーダンスと給電点１２の入出力インピーダンスを整合させる必要がある場合には、図７に示すごとく、第１実施例と同様に、第１と第２のアンテナエレメント２０、２６の基端ａと給電点１２の間に整合回路２４を介装しても良い。この整合回路２４は、適宜なＬＣ回路で形成されるが、回路を形成する素子の定数は共通の導電路の電気長ａｋに応じて調整される。かかるアンテナの構成で、低い周波数帯がＧＳＭ帯で高い周波数帯が低い周波数帯の略２倍の周波数であるＤＣＳ帯およびＰＣＳ帯となるように、第１と第２のアンテナエレメント２０、２６の電気長をそれぞれに設定して、しかも共通の導電路の電気長ａｋを変化させるとともに整合回路２４の定数も適宜に設定して、ＶＳＷＲ特性を測定した。まず、共通の導電路の電気長ａｋが高い周波数帯の１／３２波長とした場合には、図９に示すごとく、ＧＳＭ帯の８８０〜９６０ＭＨｚの周波数範囲でＶＳＷＲが２以下の良好な特性が得られている。また、ＤＣＳ帯とＰＣＳ帯におよぶ１７１０〜１９９０ＭＨｚの周波数範囲でもＶＳＷＲが４以下であり、ＧＳＭ帯とＤＣＳ帯および／またはＰＣＳ帯の複数周波数帯用アンテナとして十分に利用できるとの結果が得られた。また、図５に（２）で示す受信効率にあっても、平均効率はＧＳＭ帯で８７．１３％であり、ＤＣＳ帯で５７．５１％であり、ＰＣＳ帯で４６．３７％であり、いずれの周波数帯でも充分なアンテナ効率が得られている。また、共通の導電路の電気長ａｋが高い周波数帯の１／１６波長とした場合には、図１１に示すごとく、ＧＳＭ帯の８８０〜９６０ＭＨｚの周波数範囲でＶＳＷＲがほぼ２以下の良好な特性が得られている。また、ＤＣＳ帯とＰＣＳ帯におよぶ１７１０〜１９９０ＭＨｚの周波数範囲でもＶＳＷＲが４以下であり、ＧＳＭ帯とＤＣＳ帯および／またはＰＣＳ帯の複数周波数帯用アンテナとして十分に利用できるとの結果が得られた。また、図５に（３）で示す受信効率にあっても、平均効率はＧＳＭ帯で８６．１１％であり、ＤＣＳ帯で５９．７９％であり、ＰＣＳ帯で４８．８７％であり、いずれの周波数帯でも充分なアンテナ効率が得られている。そして、共通の導電路の電気長ａｋが高い周波数帯の３／３２波長とした場合には、図１３に示すごとく、ＧＳＭ帯の８８０〜９６０ＭＨｚの周波数範囲でＶＳＷＲが２以下の良好な特性が得られている。また、ＤＣＳ帯とＰＣＳ帯におよぶ１７１０〜１９９０ＭＨｚの周波数範囲でもＶＳＷＲがほぼ４以下であり、ＧＳＭ帯とＤＣＳ帯および／またはＰＣＳ帯の複数周波数帯用アンテナとして十分に利用できるとの結果が得られた。また、図５に（４）で示す受信効率にあっても、平均効率はＧＳＭ帯で８５．７７％であり、ＤＣＳ帯で５３．９１％であり、ＰＣＳ帯で４４．９６％であり、いずれの周波数帯でも充分なアンテナ効率が得られている。さらに、共通の導電路の電気長ａｋが高い周波数帯の１／８波長とした場合には、図１５に示すごとく、ＧＳＭ帯の８８０〜９６０ＭＨｚの周波数範囲でＶＳＷＲが２以下の良好な特性が得られている。また、ＤＣＳ帯とＰＣＳ帯におよぶ１７１０〜１９９０ＭＨｚの周波数範囲でもＶＳＷＲがほぼ４以下であり、ＧＳＭ帯とＤＣＳ帯および／またはＰＣＳ帯の複数周波数帯用アンテナとして十分に利用できるとの結果が得られた。また、図５に（５）で示す受信効率にあっても、平均効率はＧＳＭ帯で８４．８４％であり、ＤＣＳ帯で５３．５２％であり、ＰＣＳ帯で４５．１１％であり、いずれの周波数帯でも充分なアンテナ効率が得られている。しかしながら、共通の導電路の電気長ａｋが高い周波数帯の５／３２波長とした場合には、図１７に示すごとく、ＧＳＭ帯の８８０〜９６０ＭＨｚの周波数範囲でＶＳＷＲが２を大きく越えており、またＤＣＳ帯とＰＣＳ帯におよぶ１７１０〜１９９０ＭＨｚの周波数範囲でもＶＳＷＲが４を大きく越えており、ＧＳＭ帯とＤＣＳ帯および／またはＰＣＳ帯の複数周波数帯用アンテナとして利用するのに適していない。また、図５に（６）で示す受信効率にあっても、平均効率はＧＳＭ帯で８１．７０％であり、ＤＣＳ帯で４６．３３％であり、これらの周波数の範囲では受信効率に関しては問題ないが、ＰＣＳ帯では３９．４７％であり、受信効率が悪い。よって、共通の導電路の電気長ａｋは、高い周波数帯の１／８波長以内が適正である。
【００２６】
なお、上記第２実施例にあっては、第２のアンテナエレメント２６の基端ａ側の垂直な部分ａｋ全体が、第１のアンテナエレメント２０の垂直な部分ａｉの基端ａ側部分と共通の導電路を用いて形成されているが、これに限られず、第２のアンテナエレメント２６の基端ａ側の垂直な部分ａｋの基端ａ側の一部分のみが、共通の導電路を用いて形成されていても良い。また、上記実施例におけるアンテナ特性の測定は、低い周波数帯としてＧＳＭ帯を設定し、高い周波数帯としてＤＣＳ帯とＰＣＳ帯にまたがる周波数範囲を設定しているが、これに限られず、低い周波数帯としてＰＤＣ８００ＭＨｚ帯またはＧＳＭ帯またはＡＭＰＳ帯のいずれが設定されても良く、高い周波数帯としてＰＤＣ１．５ＧＨｚ帯またはＤＣＳ帯またはＰＣＳ帯のいずれが設定されても良い。しかも、低い周波数帯および高い周波数帯は、１つの周波数帯または２つ以上の周波数帯にまたがって設定されても良い。さらに、低い周波数帯および高い周波数帯として、携帯電話用の周波数帯に限られず、その他の移動体通信用の周波数帯が設定されても良いことは勿論である。 
【図面の簡単な説明】
【００２７】
【図１】本発明の複数周波数帯用アンテナの第１実施例の基本的なアンテナの構成図である。
【図２】図１のアンテナの構成に、入出力インピーダンスの整合を図るための整合回路を介装した構成図である。
【図３】図２の整合回路の一例を示す回路図である。
【図４】図２のアンテナの構成におけるＶＳＷＲ特性図である。
【図５】図２のアンテナの構成における各周波数帯の受信効率を示した図である。
【図６】本発明の複数周波数帯用アンテナの第２実施例の基本的なアンテナの構成図である。
【図７】図６のアンテナの構成に、入出力インピーダンスの整合を図るための整合回路を介装した構成図である。
【図８】図７の構成で、基端側の共通の導電路の電気長を高い周波数帯の１／３２波長とした場合の整合回路の一例を示す回路図である。
【図９】図７の構成で、基端側の共通の導電路の電気長を高い周波数帯の１／３２波長として、図８の整合回路を設けたアンテナの構成におけるＶＳＷＲ特性図である。
【図１０】図７の構成で、基端側の共通の導電路の電気長を高い周波数帯の１／１６波長とした場合の整合回路の一例を示す回路図である。
【図１１】図７の構成で、基端側の共通の導電路の電気長を高い周波数帯の１／１６波長として、図１０の整合回路を設けたアンテナの構成におけるＶＳＷＲ特性図である。
【図１２】図７の構成で、基端側の共通の導電路の電気長を高い周波数帯の３／３２波長とした場合の整合回路の一例を示す回路図である。
【図１３】図７の構成で、基端側の共通の導電路の電気長を高い周波数帯の３／３２波長として、図１２の整合回路を設けたアンテナの構成におけるＶＳＷＲ特性図である。
【図１４】図７の構成で、基端側の共通の導電路の電気長を高い周波数帯の１／８波長とした場合の整合回路の一例を示す回路図である。
【図１５】図７の構成で、基端側の共通の導電路の電気長を高い周波数帯の１／８波長として、図１４の整合回路を設けたアンテナの構成におけるＶＳＷＲ特性図である。
【図１６】図７の構成で、基端側の共通の導電路の電気長を高い周波数帯の５／３２波長とした場合の整合回路の一例を示す回路図である。
【図１７】図７の構成で、基端側の共通の導電路の電気長を高い周波数帯の５／３２波長として、図１６の整合回路を設けたアンテナの構成におけるＶＳＷＲ特性図である。
【図１８】従来の複数周波数用アンテナの一例の構成図である。
【図１９】従来の複数周波数用アンテナの別の例の構成図である。
【符号の説明】
【００２８】
１０、２０  第１のアンテエナエレメント
１２  給電点
１４  接地導体
１６、１８、２２、２６  第２のアンテナエレメント
２４  整合回路
【図１】
2007288649.tif 000003
【図２】
2007288649.tif 000004
【図３】
2007288649.tif 000005
【図４】
2007288649.tif 000006
【図５】
2007288649.tif 000007
【図６】
2007288649.tif 000008
【図７】
2007288649.tif 000009
【図８】
2007288649.tif 000010
【図９】
2007288649.tif 000011
【図１０】
2007288649.tif 000012
【図１１】
2007288649.tif 000013
【図１２】
2007288649.tif 000014
【図１３】
2007288649.tif 000015
【図１４】
2007288649.tif 000016
【図１５】
2007288649.tif 000017
【図１６】
2007288649.tif 000018
【図１７】
2007288649.tif 000019
【図１８】
2007288649.tif 000020
【図１９】
2007288649.tif 000021